(57)【要約】【課題】点灯装置を備えた薄型で小形の蛍光ランプ装置を提供する。電気部品の発熱による天井面への影響を抑制する。電解コンデンサの防爆弁の動作空間を確保する。【解決手段】天井面２に設置したソケット装置10に、蛍光ランプ装置11を着脱可能に装着する。蛍光ランプ装置11は、本体21の内部の円形状の点灯装置収容部20に点灯装置22を収容する。本体21にＧＸ５３形式の口金部23を一体に設ける。本体21の下面側に蛍光ランプ24を取り付ける。蛍光ランプ24とともに本体21の下面側をグローブ25で覆う。点灯装置22は、四角状の回路基板77の蛍光ランプ24に向かう下面に、ディスクリート部品の電気部品79を取り付ける。回路基板77の縁部に沿って、電解コンデンサ81の防爆弁81aを配置する。電解コンデンサ81の反対面に位置を合わせて、回路基板77の上面に、面実装部品78である電界効果トランジスタ80を配置する。【選択図】図１
2007157368.tif 000002
【特許請求の範囲】
【請求項１】
設置部に設けられたソケット部に装着可能な口金部と、設置部に向かう点灯装置収容部と、設置部の反対側に向かうランプ取付面を備えた扁平な本体と；
回路基板及び回路基板に実装された面実装部品並びに面実装部品以外のディスクリート部品である電気部品を有し、ディスクリート部品である電気部品を実装した面を設置部の反対側に向けて点灯装置収容部に収容された点灯装置と；
本体のランプ取付面側を覆う透光性を有するグローブと；
ランプ取付面に沿って平面状に配置されたバルブを有する蛍光ランプと；
を具備することを特徴とする蛍光ランプ装置。
【請求項２】
設置部に設けられたソケット部に装着される口金部と、略円筒状の側壁部を有する点灯装置収容部と、設置部の反対側に向かうランプ取付面を備えた扁平な本体と；
四角状の回路基板、及び回路基板に実装され展開可能な蓋部を有する電気部品を有し、電気部品は蓋部を回路基板の縁部に沿って配置され、点灯装置収容部に収容された点灯装置と；
本体のランプ取付面側を覆う透光性を有するグローブと；
ランプ取付面に沿って平面状に配置されたバルブを有する蛍光ランプと；
を具備することを特徴とする蛍光ランプ装置。
【請求項３】
請求項１または２記載の蛍光ランプ装置と；
口金部に電気的に接続されるソケット部を備えるとともに本体を機械的に保持するソケット装置と；
を具備することを特徴とする照明器具。
【発明の詳細な説明】
【技術分野】
【０００１】
本発明は、蛍光ランプと点灯装置とを備えた蛍光ランプ装置及び照明器具に関する。
【背景技術】
【０００２】
従来、屈曲されたバルブを備えた発光管を有する蛍光ランプと、この発光管を点灯させる点灯装置とを一体的に備えた蛍光ランプ装置が用いられている(例えば、特許文献１参照。)。このような蛍光ランプ装置について、平面的な光源を得るため、扁平な円盤状の本体に点灯装置を収容し、この本体の上面に一体的に口金部を設けるとともに、本体の下面に沿って平面状に屈曲された発光管を配置し、さらに、これら本体の下面と発光管とをグローブで覆った扁平な円盤状の蛍光ランプ装置が知られている(例えば、非特許文献１参照。)。
【特許文献１】特開平６−２８３１３９号公報
【非特許文献１】シルバニア 0025219 マイクロリンクス F 7W/840(SYLVANIA 0025219 Micro-Lynx F 7W/840)、[online]、2005年、シルバニア ライティング インターナショナル(Sylvania Lighting International)、[平成17年11月10日検索]、インターネット＜http://www.sylvania-lamps.com/catalog/pdflib/lamps2pdf.php?id=2514＞
【発明の開示】
【発明が解決しようとする課題】
【０００３】
しかしながら、発光管と点灯装置とを重ねて配置する構成では、互いに近接して配置された発光管及び点灯装置の発熱により、各部の温度が上昇しやすい。さらに、回路基板に実装される面実装部品以外のディスクリート部品である電気部品については、
面実装タイプの電気部品に比べて温度上昇しやすい品種が多く、例えば、ＰＴＣ素子などは極まれに異常発熱する場合がある。そして、ＰＴＣ素子などの電気部品が異常発熱すると、この電気部品に近接する本体の設置部に対向する部分の温度が上昇し、取付面の変色や劣化の進行の原因となる。また、点灯装置を収容する点灯装置収容部は、口金部との関係で高さ寸法の小さい扁平な円盤状の空間となるが、この点灯装置収容部に収容された電解コンデンサについて、先端部に設けた蓋部が故障時に開く空間を確保することが困難である問題を有している。一方、点灯装置収容部の容積を大きくすると、蛍光ランプ装置が大形化するという問題を有している。
【０００４】
本発明は、このような点に鑑みなされたもので、蛍光ランプを用いて小形かつ薄型の平面的な光源を実現できる蛍光ランプ装置及び照明器具を提供することを目的とする。
【課題を解決するための手段】
【０００５】
請求項１記載の蛍光ランプ装置は、設置部に設けられたソケット部に装着可能な口金部と、設置部に向かう点灯装置収容部と、設置部の反対側に向かうランプ取付面を備えた扁平な本体と；回路基板及び回路基板に実装された面実装部品並びに面実装部品以外のディスクリート部品である電気部品を有し、ディスクリート部品である電気部品を実装した面を設置部の反対側に向けて点灯装置収容部に収容された点灯装置と；本体のランプ取付面側を覆う透光性を有するグローブと；ランプ取付面に沿って平面状に配置されたバルブを有する蛍光ランプと；を具備するものである。
【０００６】
ディスクリート部品である電気部品は、抵抗、インダクタ、コンデンサなどの電気部品要素から同一方向に複数のリード線が導出された素子であり、回路基板面に形成されたスルーホールにこのリード線が挿入されて実装されるものである。
【０００７】
そして、この構成では、口金を設け点灯装置を収容した本体のランプ取付面に沿って蛍光ランプのバルブを配置することにより、小形かつ薄型の平面的な光源が実現される。ディスクリート部品である電気部品を実装した面を設置部の反対側に向けて点灯装置収容部に収容したため、この電気部品が異常発熱した場合に、設置部への熱的な影響が抑制される。
【０００８】
請求項２記載の蛍光ランプ装置は、設置部に設けられたソケット部に装着される口金部と、略円筒状の側壁部を有する点灯装置収容部と、設置部の反対側に向かうランプ取付面を備えた扁平な本体と；四角状の回路基板、及び回路基板に実装され展開可能な蓋部を有する電気部品を有し、電気部品は蓋部を回路基板の縁部に沿って配置され、点灯装置収容部に収容された点灯装置と；本体のランプ取付面側を覆う透光性を有するグローブと；ランプ取付面に沿って平面状に配置されたバルブを有する蛍光ランプと；を具備するものである。
【０００９】
蓋部を有する電気部品は、例えば、先端部に防爆弁を有する電解コンデンサである。
【００１０】
そして、この構成では、口金を設け点灯装置を収容した本体のランプ取付面に沿って蛍光ランプのバルブを配置することにより、小形かつ薄型の平面的な光源が実現される。略円筒状の側壁部を有する点灯装置収容部に、点灯装置収容部の形状とは異なる四角状の回路基板を収容することにより、回路基板の縁部と点灯装置収容部の内面部との間に空間が確保される。そこで、電気部品は蓋部を回路基板の縁部に沿って配置することにより、蓋部が展開する空間が確保される。
【００１１】
請求項３記載の照明器具は、請求項１または２記載の蛍光ランプ装置と；口金部に電気的に接続されるソケット部を備えるとともに本体を機械的に保持するソケット装置と；を具備するものである。
【００１２】
そして、この構成では、請求項１または２記載の蛍光ランプ装置を備えたため、小形かつ薄型の平面的な光源が実現されるとともに、請求項１または２記載のそれぞれの効果を有する。また、点灯装置を内蔵した蛍光ランプ装置がソケット装置に着脱され、取り扱いが容易になる。
【発明の効果】
【００１３】
請求項１記載の蛍光ランプ装置によれば、口金を設け点灯装置を収容した本体のランプ取付面に沿って蛍光ランプのバルブを配置することにより、小形かつ薄型の平面的な光源を実現できる。ディスクリート部品である電気部品を実装した面を設置部の反対側に向けて点灯装置収容部に収容したため、この電気部品が異常発熱した場合に、設置部への熱的な影響を抑制できる。
【００１４】
請求項２記載の蛍光ランプ装置によれば、口金を設け点灯装置を収容した本体のランプ取付面に沿って蛍光ランプのバルブを配置することにより、小形かつ薄型の平面的な光源を実現できる。略円筒状の側壁部を有する点灯装置収容部に、点灯装置収容部の形状とは異なる四角状の回路基板を収容することにより、回路基板の縁部と点灯装置収容部の内面部との間に空間が確保される。そこで、電気部品は蓋部を回路基板の縁部に沿って配置することにより、蓋部が展開する空間を確保できる。
【００１５】
請求項３記載の照明器具によれば、請求項１または２記載の蛍光ランプ装置を備えたため、小形かつ薄型の平面的な光源を実現できるとともに、請求項１または２記載のそれぞれの効果を実現できる。また、点灯装置を内蔵した蛍光ランプ装置がソケット装置に着脱され、取り扱いを容易にできる。
【発明を実施するための最良の形態】
【００１６】
以下、本発明の蛍光ランプ装置及び照明器具の一実施の形態を図面を参照して説明する。
【００１７】
図１は本発明の蛍光ランプ装置を備えた照明器具の一実施の形態を示す説明図であり、(a)は縦断面図、(b)は横断面図である。図２は同上照明器具の蛍光ランプ装置をソケット装置から取り外した状態の斜視図である。図３は同上蛍光ランプ装置の分解斜視図である。図４は同上蛍光ランプ装置の側面図である。図５は同上蛍光ランプ装置の仕切板を下面側からみた斜視図である。図６は同上蛍光ランプ装置の横断面図である。
【００１８】
図１及び図２において、１は照明器具で、この照明器具１は、例えば、設置部である天井面２に直付設置されるもので、天井面２に直付される扁平な円筒状のソケット装置10と、このソケット装置10に着脱可能に装着される扁平な円盤状の蛍光ランプ装置11とを備えている。なお、以下、上下方向などの方向は、照明器具１を水平な天井面２に取り付けた状態を基準として説明し、口金側を上側、反口金側を下側として説明する。
【００１９】
そして、ソケット装置10は、円筒状をなすケース体14を備え、このケース体14がねじなどにて天井面２に固定されている。また、このケース体14には、ソケット部を構成する図示しない一対の接続金具が収容され、これら接続金具にそれぞれ天井部に配線された商用交流電源のＦケーブルの芯線が電気的に接続されている。さらに、ケース体14の下面には、各接続金具に沿って、ソケット部を構成する給電孔15が形成されている。各給電孔15は、ケース体14の中心に対して回転対称に位置し、円孔状の溝部の一端に円孔状の拡径部15aが設けられている。さらに、ケース体14の中央部には、上下に貫通する円孔状の本体収容部16が形成され、この本体収容部16の中心に向かい、一対の係合保持部17が突設されている。
【００２０】
また、蛍光ランプ装置11は、いわば安定器内蔵形コンパクト蛍光ランプであり、図１ないし図４に示すように、内部に点灯装置収容部20を構成する本体21と、この本体21に収納された点灯装置22と、この本体21に一体的に設けられたＧＸ５３形式の口金部23と、本体21の下面側に取り付けられた蛍光ランプ24と、この蛍光ランプ24とともに本体21の下面側を覆うグローブ25とを備えている。
【００２１】
そして、本体21は、平面略円形で、互いに組み合わされるホルダ31、断熱手段を構成する仕切板32、口金体33、及び一対の口金ピン34を備えている。
【００２２】
そして、ホルダ31は、導熱性の良好な金属であるアルミニウムで形成された略円盤状で、アルミカバーとも呼び得るもので、円板状をなすカバー基板部36と、このカバー基板部36の外周部に連続するカバー縁部37とが一体に形成されている。そして、カバー基板部36には、両側一対の通孔38が形成され、下面は平面状のランプ取付面39となっている。また、カバー縁部37は、下面を開口した断面略Ｖ字状をなし、外周面は、上側に向かって径寸法が小さくなるように傾斜している。また、このカバー縁部37の下側の開口は、グローブ25が接着などして取り付けられる取付受部41となっている。さらに、カバー縁部37の上側の内周側は、環状をなして内側に突設され、口金体33を係合して保持する口金体保持部42となっている。また、本体21には、本実施の形態ではカバー基板部36の上面とカバー縁部37の内周面との角部の２カ所に、位置決め部43が平面矩形状に突設して形成されている。
【００２３】
また、仕切板32は、図３及び図５などに示すように、絶縁性を有する樹脂で形成された略円盤状で、樹脂絶縁仕切板とも呼び得るもので、円板状をなす仕切板基板部45と、仕切板基板部45の上面の両側部に設けられた口金ピン取付部47と、仕切板基板部45の外周部に設けられた仕切板縁部48とが一体に形成されている。そして、仕切板基板部45は、ホルダ31のカバー基板部36の上面に密着し、あるいは所定の間隔を介して対向して配置され、本実施の形態では、カバー基板部36の上面に密着して重ねられるようになっている。そして、この仕切板基板部45には、ホルダ31の通孔38に位置合わせしてそれぞれ２個の通孔50が形成されている。また、この通孔50の下面側部51は下方に突設され、ホルダ31の通孔38に嵌合して位置決めされるようになっている。さらに、仕切板基板部45の下面部には、位置決め部43に位置合わせして、位置決め部43に嵌合して位置決めされる位置決め受部53が凹設されている。また、各口金ピン取付部47は、半円板状をなして上側に突設された台部58と、この台部58に上側に開口して形成され口金ピン34が圧入されるピン挿入部59とを備えている。
【００２４】
そして、口金体33は、図１及び図３などに示すように、絶縁性を有する樹脂で形成された略円盤状で、円環板状をなす口金体基板部61と、この口金体基板部61の内側の縁部から円筒状をなして上側に突設された内筒部である側壁部62と、この側壁部62の上端部を閉塞する天板部63とが一体に形成されている。そして、口金体基板部61の下面の外周部近傍からは、ホルダ31の口金体保持部42に係合される円筒状の係合受部65が形成されている。また、口金体基板部61の両側部には、それぞれ口金ピン34が装着される口金ピン装着部66が形成されている。そして、各口金ピン装着部66は、上下に貫通する円孔状をなすが、段部67を有して上側部よりも下側部の径寸法が大きく、下側から挿入された口金ピン34は上側に抜けずに保持される。さらに、側壁部62の外径寸法は、ソケット装置10の本体収容部16内に挿入可能に形成されている。また、側壁部62の外周面には、ソケット装置10の係合保持部17に係脱可能に係合して保持される係合保持受部68が略Ｌ字状に凹設して形成されている。また、図示しないが、天板部63の内面すなわち下面には、点灯装置を位置決めし、あるいは位置決めして係合保持する点灯装置取付部を設けることもできる。
【００２５】
また、口金ピン34は、導電性を有する金属により、円柱状をなす軸部71と、この軸部71の下端部から下方に突設された圧入部72と、この圧入部72の上側に位置して軸部71の外周部に突設されたフランジ部73と、軸部71の上端部から断面Ｔ字状に突設されたプラグ部74とが一体に形成されている。そして、軸部71は、口金体33の口金ピン装着部66に挿入され、フランジ部73は段部67に係合され、圧入部72は仕切板32のピン挿入部59に圧入される。また、プラグ部74は口金体33の口金体基板部61の上側に突出し、ソケット装置10の給電孔15に拡径部15aから挿入され、接続金具に電気的及び機械的に保持されるようになっている。
【００２６】
そして、点灯装置22は、回路基板77と、この回路基板77の一面である上面の面部品配置面77bに実装された面実装部品78と、回路基板77の他面である下面の部品配置面77aに実装された面実装部品78以外のディスクリート部品である電気部品79とを備えている。そして、回路基板77は、多層の略四角形板状で、四隅の部分に斜めに切りかかれた切欠部77cが形成されているとともに、各辺の中間部から外周側に向かって突設片部77dが突設されている。そして、面実装部品は、例えばインバータ回路の主スイッチを構成するメタルオキサイトセミコンダクタ型の電界効果トランジスタ(ＭＯＳＦＥＴ)80、あるいは図示しないチップ抵抗器やチップコンデンサである。また、ディスクリート部品である電気部品79は、電解コンデンサ81及びバラストチョークであるインダクタ82などの高さのある部品、あるいはＰＴＣバリスタなどとも呼ばれる正特性サーミスタ83、その他のインダクタL1，L3、コンデンサC1、負特性サーミスタNTC1，NTC2、定電圧ダイオードZD1，ZD2などであり、複数のワイヤ状の端子をはんだ付けして回路基板77に電気的及び機械的に取り付けられている。
【００２７】
そして、電解コンデンサ81は、円柱状をなし、先端部に異常時に開口可能な蓋部としての防爆弁81aを備えている。また、側面には、極性を示す表示81bが設けられている。そして、この電解コンデンサ81は、端子を折り曲げて、長手方向である軸方向を回路基板77の面方向に沿わせ、いわば横形に配置され、防爆弁81aが回路基板77の直線状をなす一辺の縁部、本実施の形態では突設片部77dの縁部に沿うように、かつ、縁部の長手方向の中央部に位置するように配置されている。
【００２８】
一方、電界効果トランジスタ(ＦＥＴ)80は、矩形板状のパッケージの両側に合計８個の端子を有するいわゆるＳＯＰ８にＮch及びＰchのＦＥＴがワンパッケージされたもので、発熱部品、例えばインダクタ82からの影響を軽減して信頼性を向上するため、図１(b)に示すように、発熱しにくい部品である電解コンデンサ81の反対面に位置を合わせて配置されている。
【００２９】
さらに、回路基板77の部品配置面77aの一側には、蛍光ランプ24などに接続される出力部である４本の接続ピン84が備えられている。一方、回路基板77の部品配置面77aの他側には、商用交流電源が入力される２カ所の入力部85が設けられている。このように、出力部と入力部85とを左右に振り分けることにより、配線の接続作業が容易になっている。
【００３０】
そして、この点灯装置22の入力部85と口金ピン34とを電気的に接続するために、２本の配線86が備えられている。各配線86の一端は、芯線がむき出しにされ、点灯装置22の入力部85にはんだ付けなどして電気的に接続されている。また、配線86の他端には環状の端子部が設けられ、口金部23の口金ピン34に圧接して電気的に接続されている。
【００３１】
なお、回路基板77の四隅の切欠部77cは、直線状に切り欠くいわゆるコーナー処理(Ｃ処理)の他、曲線状に切り欠くいわゆるアール処理(Ｒ処理)とすることもできる。また、対角線上で対向する切欠部77c同士の離間寸法、いわば回路基板77の外径寸法は、口金体33の側壁部62の内径より僅かに小さくなるように設定されている。なお、この切欠部77cと側壁部62との間隔は、１mm以上、好ましくは３mm以上設けられている。
【００３２】
また、蛍光ランプ24は、発光管88を備え、この発光管88は、内面に例えば３波長形の蛍光体が設けられ、内部にアルゴン(Ar)、ネオン(Ne)、あるいはクリプトン(Kr)などの希ガスや水銀などを含む封入ガスが封入された単数あるいは複数の放電路を構成している。そして、この実施の形態では、発光管88は、３本のＵ字状に屈曲されたバルブ91，92，93を連通管94で順次接続し、１本の連続した放電路を形成している。そして、各バルブ91，92，93は、ガラス製の断面略円筒状の管体が中間部で屈曲された屈曲部と、この屈曲部に連続する互いに平行な一対の直管部とを備えている。そして、各バルブ91，92，93は、各直管部が互いに平行で、かつ、同一平面上に位置するように配置されているとともに、中央のバルブ92の直管部の長さが最も大きく、両側のバルブ91，93の外側の直管部の長さは最も小さく形成され、全体として、いわば略円板状の平面状の光源を構成するように形成されている。また、放電路の両端に位置する両側のバルブ91，93の各一端部には、ステムシールあるいはピンチシールによって一対の電極96が封装されている。すなわち、中央のバルブ92は、電極96を有しない。そして、各電極96は、フィラメントコイルを有し、このフィラメントコイルが一対の線状のウエルズに支持されている。各ウエルズは、例えば、両側のバルブ91，93の各一端部に封装されたジュメット線を介して両側のバルブ91，93から外部に導出され、点灯装置22に接続されるワイヤ97に接続されている。また、例えば両側のバルブ91，93の各一端部には、ステムシールあるいはピンチシールによって封装された図示しない排気管が形成されている。各排気管は、発光管88の製造工程で発光管88の排気を行い、溶断により封止されている。
【００３３】
さらに、電極96を有しない中央のバルブ92の一端部には、排気管よりも長く例えば５mm〜２０mm直線状に延設されたガラス管である延設部としてのアマルガム専用細管98が設けられている。そして、このアマルガム専用細管98の先端部には、アマルガム99が封入されている。このアマルガム99は、主アマルガムとも呼ばれ、ビスマス、錫、及び水銀で構成される合金であり、略球形状に形成され、発光管88内の水銀蒸気圧を適正な範囲に制御する。なお、このアマルガム99は、水銀あるいは水銀合金であり、ビスマス及び錫の他に、インジウム、鉛などを組み合わせた合金により形成することもできる。さらに、両側のバルブ91，93の一端部の電極96のウエルズには、水銀吸着放出作用を有する補助アマルガムが取り付けられて封入されている。さらに、中央のバルブ92の主アマルガムを設けていない側の端部にも、補助アマルガムが封入されている。
【００３４】
そして、各バルブ91，92，93は、シリコーンなどの接着剤であるランプ接着手段100でランプ取付面39に沿って取り付けられる。
【００３５】
さらに、グローブ25は、投光性を有し、すなわち、透明あるいは光拡散性を有するガラスや合成樹脂により、上側に開口部101を設けた扁平な曲面形状に形成されている。そして、この開口部101を囲む縁部は、上側に向かう取付部102となるとともに、この開口部101すなわち取付部102の下方に対向する正面部104は、滑らかな曲面状に形成されている。さらに、これら取付部102と正面部104とを連設する外周部は、開口部101よりも外周側に膨出する膨出部105となり、さらに、この膨出部105の外面106は、下方から上方に向かい径寸法が小さくなる傾斜面になっている。
【００３６】
そして、この蛍光ランプ装置11の組み立て作業は、まず、ホルダ31のカバー基板部36の上側に仕切板32を被せ、必要に応じて接着する。この時、仕切板32は、カバー縁部37内に位置決めされるとともに、位置決め部43と位置決め受部53との嵌合、及び通孔50の下面側部51とホルダ31の通孔38との嵌合により、ホルダ31と仕切板32とが回転方向に位置決めされる。
【００３７】
そして、ホルダ31のカバー基板部36の下面のランプ取付面39に沿って、蛍光ランプ24を配置し、ランプ接着手段100にて蛍光ランプ24の発光管88のバルブ91，92，93をランプ取付面39に接着する。そして、蛍光ランプ24の２対４本のワイヤ97は、それぞれ通孔50を介して、ホルダ31及び仕切板32の上側に導出され、点灯装置22の接続ピン84にラッピングなどして接続される。
【００３８】
また、一端を点灯装置22の入力部85に接続した各配線の他端の端子部をそれぞれ仕切板32の台部58上に配置した状態で、上側から各ピン挿入部59に口金ピン34を圧入し、口金ピン34を仕切板32に機械的に取り付けるとともに、口金ピン34と入力部85すなわち点灯装置22とを電気的に接続する。
【００３９】
そして、回路基板77に電気部品79を実装した点灯装置22を、口金体33の側壁部62内に挿入し、天板部63に予め点状に塗布(ポッティング)しておいたシリコーンなどの接着剤に押し付け、回路基板77が天板部63、すなわちホルダ31のランプ取付面39、すなわち蛍光ランプ24が構成する仮想面と平行になるように接着して固定する。この時、図１(b)に示すように、回路基板77の対角線上で対向する切欠部77c同士の離間寸法は、側壁部62の内径寸法とほぼ等しいため、切欠部77cの部分で嵌合するようにして、回路基板77が位置決めされるとともに、回路基板77の各縁部と側壁部62の内面との間には、空間部Ａが形成され、回路基板77の縁部に沿って配置された電解コンデンサ81の防爆弁81aは、側壁部62の内面との間に１mm以上好ましくは３mm以上離間して配置される。また、回路基板77の各縁部と側壁部62の内面との間に空間部Ａが存在するため、接着剤の量が多かった場合などにも、この空間部Ａを介して接着剤が非口金側に流出することにより、回路基板77全体を所望の位置に強固に固定できるようになっている。
【００４０】
そして、ホルダ31の上側から口金体33を被せ、係合受部65をホルダ31の口金体保持部42に圧入して係合する。この状態で、各口金ピン34のプラグ部74が口金体33の口金体基板部61の上側に突出するとともに、フランジ部73が段部67に係合されて抜け止めされる。また、この状態で、本体21の内側に点灯装置収容部20が構成され、この点灯装置収容部20に点灯装置22が収納される。
【００４１】
さらに、ホルダ31の下側からグローブ25を被せ、取付部102を取付受部41に挿入してシリコーンなどの接着剤で接着することにより、蛍光ランプ装置11が構成される。この状態で、蛍光ランプ24の発光管88のバルブ92から延設されたアマルガム専用細管98の先端部は、グローブ25の開口部101よりも外周側に突設されて膨出部105内に位置し、アマルガム専用細管98の先端部は、グローブ25の外周部の外面106の内側面に近接し、例えば、２mm程度離間した位置に配置されている。
【００４２】
そして、このように構成された蛍光ランプ装置11は、天井面２に取り付けられたソケット装置10の本体収容部16に、口金体33の側壁部62すなわち天板部63を下側から位置合わせして挿入し、さらに、口金部23の口金ピン34のプラグ部74を各給電孔15の拡径部15aに挿入して、蛍光ランプ装置11を所定方向に回動させる。すると、各口金ピン34のプラグ部74が、ソケット装置10の接続金具に電気的及び機械的に接続されるとともに、口金体33の係合保持受部68がソケット装置10の係合保持部17に係合し、機械的に保持される。このようにしてソケット装置10に装着された蛍光ランプ装置11は、ソケット装置10に機械的に保持されるとともに、ソケット装置10から商用交流電源を供給され、内蔵した点灯装置22により蛍光ランプ24の発光管88を高周波で点灯するようになっている。
【００４３】
また、上記の取付時の動作と反対方向に蛍光ランプ装置11を回動させることにより、蛍光ランプ装置11はソケット装置10から容易に取り外される。
【００４４】
そして、本実施の形態の蛍光ランプ装置11によれば、口金部23を一体的に設け点灯装置22を収容した本体21のランプ取付面39に沿って、すなわち点灯装置22に重ねて蛍光ランプ24の発光管88のバルブ91，92，93をいわば並列に配置したため、小形かつ薄型の平面的な光源を実現できる。
【００４５】
また、点灯装置22は、ディスクリート部品である電気部品79、特に、異常発熱する可能性のある電気部品79である正特性サーミスタ83を設置部である天井面２の反対側である蛍光ランプ24側に向けて点灯装置収容部20に収容したため、この電気部品79が故障により異常発熱した場合に、天井面２への熱的な影響を抑制できる。また、電気部品79は蛍光ランプ24側に向けて配置されるが、この電気部品79は絶縁性を有する樹脂製の内部カバーである仕切板32により絶縁されるとともに、点灯装置収容部20の蛍光ランプ24側を覆う導熱性の良好な金属製のホルダ31により放熱され、電気部品79の温度の上昇を抑制できる。また、このホルダ31は、蛍光ランプ24の放熱構造を兼ねるため、構造を簡略化できる。
【００４６】
さらに、略円筒状の側壁部62を有する点灯装置収容部20に、点灯装置収容部20の形状とはあえて異なる四角状の回路基板77を収容することにより、回路基板77の外側の各辺の縁部と点灯装置収容部20の内面部との間に空間部Ａが確保される。そこで、電解コンデンサ81を横倒しに配置し、電解コンデンサ81の防爆弁81aを回路基板77の一辺の直線状をなす縁部に沿って平行に配置することにより、防爆弁81aが展開動作(開弁)する例えば１mmの空間を容易に確保できる。また、この空間部Ａが、製造時にはみ出した接着剤が逃げる空間となり、製造を容易にできる。さらに、回路基板77を四角状としたため、四角の基材であるワークシートから効率良く回路基板を製造でき、製造コストを低減できる。
【００４７】
また、インバータ回路の電界効果トランジスタ80は、発熱部品、特にバラストチョークであるインダクタ82から離間して配置し、発熱しにくい部品である電解コンデンサ81の反対面に位置を合わせて面部品配置面77bに配置したため、電気部品79による熱的影響を軽減して信頼性を向上できる。
【００４８】
また、回路基板77は、出力部である４本の接続ピン84と配線が接続される入力部85とを部品配置面77aの左右に振り分けて配置したため、ラッピング作業や配線作業などが違いに干渉せず、作業性を向上できる。
【００４９】
また、蛍光ランプ24の発光管88は、本体21とグローブ25との間の狭い空間に配置され、さらに、点灯装置22に近接してランプ取付面39に沿って配置されているため、温度が上昇しやすくなるが、発光管88のバルブ92からグローブ25の内面近傍まで延設部としてのアマルガム専用細管98を延設したため、このアマルガム専用細管98がグローブ25の近傍で冷却されて所望の温度の最冷部が形成され、すなわち、最冷部の温度を低下させ、発光効率を容易に向上できる。
【００５０】
また、延設部として、アマルガム99が封入されたアマルガム専用細管98を利用したため、蛍光ランプ24の構成を複雑化することなく、最冷部を形成できる。また、アマルガム専用細管98を利用することにより、蛍光ランプ24の製造のために形成される排気管を利用する構成に比べ、精度の高い形成が容易になり、延設部としてのアマルガム専用細管98とグローブ25との離間寸法を精度良く設定でき、所望の温度の最冷部を形成できる。
【００５１】
さらに、アマルガム専用細管98少なくとも一部、本実施の形態では先端部は、グローブ25の開口部101よりも外周側に膨出する膨出部105に位置させたため、外気により温度の低下が期待される膨出部105により、延設部としてのアマルガム専用細管98が効率良く冷却され、所望の温度の最冷部を形成できる。
【００５２】
また、延設部であるアマルガム専用細管98とグローブ25の内面との離間寸法すなわち最小距離は、１mm以上５mm以下とすることが好ましく、１．５mm以上３mm以下とすることがより好ましい。すなわち、アマルガム専用細管98とグローブ25との間の最小距離を１mm以上、より好ましくは１．５mm以上とすることにより、蛍光ランプ装置11が落下などしてグローブ25に衝撃が加わった際にも、グローブ25がアマルガム専用細管98に当接しにくく、アマルガム専用細管98を保護できる。また、アマルガム専用細管98とグローブ25との間の最小距離を５mm以下より好ましくは３mm以下とすることにより、アマルガム専用細管98が効率良く冷却され、最冷部を容易に所望の温度にできる。
【００５３】
また、少なくとも蛍光ランプ24の発光管88が近接して配置されるホルダ31は、導熱性の良好な材料であるアルミニウムで形成され、さらに、蛍光ランプ24の発光管88を接着して保持するカバー基板部36に一体に形成されたカバー縁部37は、本体21の外部の空間に露出するため、蛍光ランプ24の熱をホルダ31を介して外部の空間に放出し、蛍光ランプ24の全体の温度を低下させ、蛍光ランプ装置11全体の温度を低下させることができる。
【００５４】
さらに、蛍光ランプ24の発光管88とホルダ31とをシリコーン製のランプ接着手段100で接着したため、蛍光ランプ24の熱を効率良くホルダ31に伝えることができる。
【００５５】
また、蛍光ランプ24の発光管88の温度を低下させるとともに、蛍光ランプ24の熱を本体の外部に効率良く放出し、さらに、蛍光ランプ24の発光管88と点灯装置22との間に、導熱性の低い仕切板32を配置し、さらに、点灯装置22は仕切板32の仕切板基板部45の上面に離間した状態で保持されるため、蛍光ランプ24の熱が点灯装置22に影響を与えることを抑制できる。そこで、蛍光ランプ24と点灯装置22との距離を大きくする必要がないとともに点灯装置収容部20の容積を大きくする必要がなく、点灯装置22の温度の温度を容易に低下させ、点灯装置22の上限規格温度を容易に満足させ、信頼性を向上できる。
【００５６】
さらに、蛍光ランプ24の発光管88の温度を低下させるとともに、蛍光ランプ24の熱を本体の外部に効率良く放出することにより、本体21の口金体33などの温度を容易に低下させ、例えば、天井面２に２mm〜３mmの間隔で対向する口金体33の上端の天板部63について、７６℃以下とし、天井面２を７０℃以下として、天井面２などの取付面に対する変色などの影響を容易に抑制できる。
【００５７】
また、ホルダ31と口金体33とは口金体保持部42の係合によりいわば線接触的に接続されるため、ホルダ31から口金体33に伝わる熱を抑制し、天井面２などの取付面に対する変色などの影響を容易に抑制できる。
【００５８】
そして、このように最冷部の温度を容易に低下させて発光効率を容易に向上でき、点灯装置22の上限規格温度を容易に満足し、本体21上面の温度を低下させるなど、熱的な問題を解決できるため、高出力の蛍光ランプ装置11を構成することも容易になる。また、水銀蒸気圧の高い水銀合金を使用することが可能になり、効率を向上させ、光束の立ち上がり特性を良好にできるとともに所定の全光束を得ることができる。さらに、発光管88の最冷部温度を低下させるために、発光管88を収納する部分などの容積を大きくする必要がなく、蛍光ランプ装置11を小形化し、器具適合率を向上できる。このようにして、薄形、かつ、小形の略円盤状で、すぐに明るくなる蛍光ランプ装置11を提供できる。
【００５９】
また、本体21は、ホルダ31と口金体33とで外郭が構成されるいわゆる２ピースであり、これらホルダ31と口金体33とは係合により取り付けられる。さらに、断熱手段を構成する仕切板32は、ホルダ31上に載置するのみで、位置決め部43と位置決め受部53とが嵌合て回転方向に位置決めされ、これらホルダ31と口金体33との間に挟持された状態で、上下方向及び回転方向に位置決めして固定される。そこで、仕切板32により、点灯装置22を蛍光ランプ24の熱から断熱でき、構造を簡略化できるとともに、組み立て作業を簡略化でき、製造コストを低減できる。
【００６０】
また、蛍光ランプ24に近接して配置されるホルダ31は、導電性を有する金属製であるため、蛍光ランプ24の始動特性を向上できる。
【００６１】
また、ホルダ31のカバー縁部37の外周面は、傾斜面としたため、表面積が向上し、放熱性を向上できる。
【００６２】
さらに、蛍光ランプ装置11の外周部について、ホルダ31のカバー縁部37の外周面及び及びグローブ25の膨出部105の外面106は互いにほぼ滑らかに連続し、全体として上側すなわち口金部23側に向かって径寸法が小さくなる傾斜面としたため、使用者が下側から蛍光ランプ装置11の外周部をつかんだ際に、加熱されたホルダ31のカバー縁部37に触れにくくすることができる。
【００６３】
図７は本発明の蛍光ランプ装置の他の実施の形態を示す説明図である。
【００６４】
上記の実施の形態において、図７に示すように、点灯装置22の回路基板77に設けられる、蛍光ランプ24のワイヤ97に接続される出力部である４本の接続ピン84を商用交流電源が配線86から入力される２カ所の入力部85に対し、すなわち、出力線であるワイヤ97を入力線である配線86に対し、口金部23の口金ピン34を通る中心線Ｃを中心として、対称な位置に設けることができる。この構成では、出力線のノイズが入力線に重畳しにくくなり、回路基板77の内の絶縁処理も容易にすることができる。また、この構成では、ホルダ31の通孔38すなわち仕切板32の通孔50の配置方向、及び口金部23の口金ピン34の配置方向に合わせて、回路基板77の入出力関係の部品等を配設することで、配線作業を容易にすることができる。
【００６５】
また、上記の各実施の形態では、延設部であるアマルガム専用細管98を直線状に延設して、グローブ25の内面に近接させて、最冷部の温度を低下させたが、この構成とともに、あるいは、この構成に代えて、屈曲などした種々の形状のアマルガム専用細管98を用い、あるいは、蛍光ランプ24のアマルガム専用細管98以外の他の部分をグローブ25の内面などの低温部に近接させて、最冷部の温度を低下させることもできる。また、蛍光ランプ24の発光管88などの形状は、３本のＵ字状のバルブ91，92，93を連通管94で順次接続した構成に限られず、種々の形状を採ることができる。
【００６６】
さらに、上記の実施の形態では、延設部であるアマルガム専用細管98をグローブ25の内面に近接させて、最冷部の温度を低下させたが、この構成とともに、あるいは、この構成に代えて、蛍光ランプ24の発光管88の一部を、熱伝導物質である接着手段でグローブ25の内面など他の部分に接着し、最冷部の温度を低下させることができる。すなわち、蛍光ランプ24の一部とグローブ25とを熱伝導率が大きく弾性を有する接着手段で接着することにより、蛍光ランプ24を安定して支持できるとともに、蛍光ランプ24の熱が接着手段を介してグローブ25に伝わり、所望の温度の最冷部を形成し、発光効率を容易に向上できる。さらに、接着手段は、蛍光ランプ24をグローブ25の周縁部に接着することにより、外気により温度の低下が期待されるグローブ25の周縁部により接着手段を介して蛍光ランプ24を効率良く冷却し、所望の温度の最冷部を形成できる。また、最冷部は、温度が高くなる電極96から最も遠い中央のバルブ92に設けることにより、温度の低下が容易になり、さらに、下方に向けて屈曲することにより、温度の低下が容易になる。
【００６７】
また、発光管88を保持する一体構造のホルダ31は、アルミニウムに限られず、熱伝導率１０Ｗ／ｍ・Ｋ以上のアルミニウム(Al)、銅(Cu)、鉄(Fe)、ニッケル(Ni)の少なくとも１種を含む金属あるいはセラミックで構成することにより、蛍光ランプ24の発光管88、点灯装置22、及び口金体33などの温度を低減する効果を確保できる。
【００６８】
さらに、ホルダ31のカバー縁部37の外周面に放熱性を向上する処理を施し、各部の温度低下を図ることができる。例えば、アルミニウム製のホルダ31の全面に白色のメラニンフェノールを塗布することにより、ホルダ31のカバー縁部37の外周面では、輻射を効率良く行い各部の温度低下を図ることができるとともに、グローブ25に覆われたランプ取付面39など部分については、反射率を向上して効率良く照明できる。
【００６９】
一方、断熱手段である仕切板32は、熱伝導率１０Ｗ／ｍ・Ｋ以下の材料で構成することにより、点灯装置22及び口金体33などの温度を低減する効果を確保できる。
【００７０】
さらに、仕切板32に代えて、あるいは、仕切板32とともに、蛍光ランプ24の発光管88を保持するホルダ31と点灯装置22を保持する仕切板32との間に例えば空間を設け、あるいは、熱伝導率５Ｗ／ｍ・Ｋ以下の断熱手段を配置することにより、点灯装置22及び口金体33などの温度を低減する効果を容易に向上できる。
【００７１】
さらに、蛍光ランプ24の発光管88を保持するホルダ31と点灯装置22を保持する仕切板32との間の空間を本体21の外部すなわち外部雰囲気に連通する通気口を設け、あるいは、点灯装置収容部20を本体21の外部すなわち外部雰囲気に連通する通気口を口金体33などに設けることにより、点灯装置22及び口金体33などの温度を低減する効果を容易に向上できるとともに、蛍光ランプ装置11の内部の圧力の上昇を抑制できる。
【００７２】
また、蛍光ランプ24の発光管88は、ホルダ31のランプ取付面39から若干、例えば１mm程度離間させることにより、反射率を向上して効率良く照明できる。なお、発光管88は、例えばランプ取付面39から突設した脚部で支持するとともに、シリコーンなどのランプ接着手段で接着することにより、熱的にはホルダ31に結合し、効率良く放熱できる。
【００７３】
また、蛍光ランプ24の発光管88は種々の形状を採ることが可能であり、例えば、３本のＵ字状のバルブ91，92，93に加えて直管状の第４のバルブを備え、この第４のバルブから延設部であるアマルガム専用細管98を突設することができる。さらに、連通管94を設けずに、１本のバルブを複数カ所で屈曲して発光管88を形成することもできる。また、連通管94を設けずに、１本のバルブを渦巻き状(スパイラル形状)に彎曲させ、発光管88を形成することもできる。これら屈曲あるいは彎曲させて発光管88を構成し、連通管94を設けない構成では、連通管94の部分による光束の低下を抑制し、光束を容易に向上できる。
【００７４】
なお、上記の実施の形態では、天井面２の下面に直付け設置される照明器具１について説明したが、この構成に限られず、天井面２に形成された円孔に埋込設置されるソケット装置を用い、ダウンライトである照明器具を構成することもできる。また、天井面２への取り付けに限られず、壁面に取り付け、あるいはソケット装置を天井面から吊り下げることもできる。
【産業上の利用可能性】
【００７５】
本発明は、例えば、天井面の下面に直付け設置される照明器具に適用できる。
【図面の簡単な説明】
【００７６】
【図１】本発明の蛍光ランプ装置を備えた照明器具の一実施の形態を示す説明図であり、(a)は縦断面図、(b)は横断面図である。
【図２】同上照明器具の蛍光ランプ装置をソケット装置から取り外した状態の斜視図である。
【図３】同上蛍光ランプ装置の分解斜視図である。
【図４】同上蛍光ランプ装置の側面図である。
【図５】同上蛍光ランプ装置の仕切板を下面側からみた斜視図である。
【図６】同上蛍光ランプ装置の横断面図である。
【図７】本発明の蛍光ランプ装置の他の実施の形態を示す説明図である。
【符号の説明】
【００７７】
１    照明器具
10    ソケット装置
11    蛍光ランプ装置
15    ソケット部を構成する給電孔
20    点灯装置収容部
21    本体
22    点灯装置
23    口金部
24    蛍光ランプ
25    グローブ
39    ランプ取付面
62    側壁部
77    回路基板
78    面実装部品
79    電気部品
81a   蓋部としての防爆弁
【図１】
2007157368.tif 000003
【図２】
2007157368.tif 000004
【図３】
2007157368.tif 000005
【図４】
2007157368.tif 000006
【図５】
2007157368.tif 000007
【図６】
2007157368.tif 000008
【図７】
2007157368.tif 000009